(57)【要約】【課題】発熱の少ない充電制御回路を内蔵した半導体集積装置を提供する。【解決手段】同一半導体チップ１０ａ内に、入力された情報を所定の手続きに従って処理し、処理結果を出力する情報処理回路１１と、情報処理回路１１に電力を供給する２次電池１２の充電を制御する充電制御回路１４とを具備し、充電制御回路１４が、情報処理回路１１が消費する電力Ｑ１および充電制御回路１４が消費する電力Ｑ２による発熱により、半導体チップ１０ａ内の少なくとも情報処理回路１１が形成されている領域の温度が、情報処理回路１１が動作可能な温度を超えないように、２次電池１２の充電電流Ｉｃを制御する。２次電池１２の端子電圧Ｖｂおよび情報処理回路１１の消費電力Ｑ１に応じた電流を２次電池１２に供給して充電を開始し、２次電池１２の端子電圧Ｖｂの上昇および情報処理回路１１の消費電力Ｑ１の変化に応じて段階的に充電電流Ｉｃを増加させる。【選択図】図１
2008118730.tif 000002
【特許請求の範囲】
【請求項１】
同一半導体チップ内に、入力された情報を所定の手続きに従って処理し、処理結果を出力する情報処理回路と、前記情報処理回路に電力を供給する２次電池の充電を制御する充電制御回路とを具備し、
前記充電制御回路が、前記半導体チップ内の少なくとも前記情報処理回路が形成されている領域の温度が、前記情報処理回路が動作可能な温度を超えないように、前記２次電池の充電電流を制御することを特徴とする半導体集積装置。
【請求項２】
前記充電制御回路が、前記２次電池の電圧および前記情報処理回路の消費電力に応じた電流を前記２次電池に供給して充電を開始し、前記２次電池の電圧の上昇および前記情報処理回路の消費電力の変化に応じて段階的に充電電流を増加させていくことを特徴とする請求項１に記載の半導体集積装置。
【請求項３】
前記情報処理回路が消費する電力および前記充電制御回路が消費する電力が、下記式
Ｑ１＋Ｑ２＜ΔＴ／Ｒｔｈ（但し、Ｑ１：情報処理回路の消費電力（Ｗ）、Ｑ２：充電制御回路の消費電力（Ｗ）、Ｒｔｈ：半導体集積装置を収納するパッケージの熱抵抗（℃／Ｗ）、ΔＴ：情報処理回路が動作する上限温度から室温を差し引いた温度）を満足することを特徴とする請求項１に記載の半導体集積装置。
【請求項４】
前記充電制御回路が、
前記２次電池の電圧を検出する電圧検出回路と、
前記情報処理回路の消費電力を検出する消費電力検出回路と、
前記２次電池の電圧と前記情報処理回路の消費電力とに応じて、前記充電電流を求める演算回路と、
前記演算結果に応じて、前記２次電池に充電電流を供給する定電流源と、
を具備することを特徴とする請求項１に記載の半導体集積装置。
【請求項５】
前記情報処理回路が、前記情報処理量に応じてクロック周波数を選択し、前記情報処理を行うＣＰＵを有し、
前記消費電力検出回路が、前記ＣＰＵのクロック周波数に基づいて前記情報処理回路の消費電力を検出することを特徴とする請求項４に記載の半導体集積装置。
【発明の詳細な説明】
【技術分野】
【０００１】
本発明は、充電制御回路を内蔵した半導体集積装置に関する。
【背景技術】
【０００２】
従来、リチウム（Ｌｉ）イオン電池のような２次電池の充電は、定電流定電圧により行われていた。リチウムイオン電池の電圧が規定電圧になるまでは定電流で充電を行い、その後は端子電圧が規定電圧を維持するように充電電流を連続的に低下させる定電圧充電を行う方式である。
【０００３】
近年、携帯型の情報処理装置、例えば携帯音楽プレーヤーなどにおいては、装置に内蔵しているリチウムイオン電池を充電している間でも音楽を楽しみたいという要望があり、充電中でも装置が安定に動作する必要がある。
【０００４】
従来の充電制御回路では、定電圧レギュレータ（ドロッパ）で定電圧制御を行うので、特に２次電池の端子電圧が低く、充電電流が大きいときにはレギュレータ内部での電力損失による発熱により、情報処理装置が誤動作する恐れがある。
【０００５】
これに対して、定電圧レギュレータを介さずに充電する充電装置が知られている（例えば、特許文献１参照。）。
【０００６】
特許文献１に開示された充電装置は、２次電池の電池電圧を検出する電圧検出手段と、電圧検出手段の検出電圧を基準値と比較する比較手段と、２次電池の充電電流を調整する充電電流調整手段と、比較手段の出力に応じて前記充電電流制御手段の充電電流を所定回数だけ段階的に減少させる制御手段を具備している。これにより、充電装置の発熱を抑制している。
【０００７】
然しながら、小型化のために情報処理回路と充電制御回路とを同一半導体チップに集積した半導体集積装置を有する情報処理装置においては、情報処理回路と充電制御回路が同時に動作する場合に、情報処理回路の電力損失による発熱に充電制御回路の電力損失による発熱が加わるため、情報処理装置が誤動作する恐れがある。
【特許文献１】特開平１０−２２３２６１号公報
【発明の開示】
【発明が解決しようとする課題】
【０００８】
本発明は、発熱の少ない充電制御回路を内蔵した半導体集積装置を提供することを目的とする。
【課題を解決するための手段】
【０００９】
本発明の一態様の半導体集積装置は、同一半導体チップ内に、入力された情報を所定の手続きに従って処理し、処理結果を出力する情報処理回路と、前記情報処理回路に電力を供給する２次電池の充電を制御する充電制御回路とを具備し、前記充電制御回路が、前記半導体チップ内の少なくとも前記情報処理回路が形成されている領域の温度が、前記情報処理回路が動作可能な温度を超えないように、前記２次電池の充電電流を制御することを特徴としている。
【発明の効果】
【００１０】
本発明によれば、発熱の少ない充電制御回路を内蔵した半導体集積装置が得られる。
【発明を実施するための最良の形態】
【００１１】
以下、本発明の実施例について図面を参照しながら説明する。
【実施例】
【００１２】
図１は本発明の実施例に係る充電制御回路を内蔵した半導体集積装置の構成を示すブロック図である。  
図１に示すように、本実施例の半導体集積装置１０は、同一半導体チップ１０ａ内に、外部から入力された情報を所定の手続きに従って処理し、処理結果を外部に出力する情報処理回路１１と、情報処理回路１１に電力を供給するリチウムイオン電池などの２次電池１２に外部電源１３から電流を供給して充電を制御する充電制御回路１４とを具備している。
【００１３】
情報処理回路１１は、例えば音声・画像データを記憶したハードディスクや不揮発性のメモリを有する情報入力装置１５から、音声・画像データファイルなどを読み込んで、再生処理し、例えば液晶ディスプレイやヘッドフオンなどを有する情報出力装置１６に音声・画像信号を出力する。
【００１４】
情報処理回路１１は、エンコードされた音声・画像データをデコードする論理処理と、音声・画像信号を生成するＡＶ処理などを行い、予めＲＯＭに格納された制御プログラムに従ってＣＰＵにより全体の動作を制御する。
【００１５】
ＣＰＵのクロック周波数は、情報処理量に応じて段階的に可変される。例えば情報処理回路１１が待機状態のときは、一番低い２４ＭＨｚに設定され、音声再生、画像再生、動画再生と情報処理量が増大するにつれて４８ＭＨｚ、９６ＭＨｚと高く設定される。  
従って、情報処理量が多くなり、クロック周波数が高くなるほど、ＣＰＵの消費電力は増大する。
【００１６】
２次電池１２は双投スイッチ１７を介して半導体集積装置１０に接続されている。双投スイッチ１７の共通端子ａが接点ｂに接続されているときは、２次電池１２から情報処理回路１１に電力が供給される。  
双投スイッチ１７の共通端子ａが接点ｃに接続されているときは、充電制御回路１４により２次電池１２の充電が行われる。
【００１７】
外部電源１３は、例えばパーソナルコンピュータ（パソコン）のＵＳＢ（Universal Serial Bus）端子等から供給される５Ｖの直流電源である。  
２次電池１２を充電するときに、ケーブル１８を介して半導体集積装置１０をパソコン１３のＵＳＢ（Universal Serial Bus）端子に接続する。  
これにより、双投スイッチ１７の共通端子ａの接続が接点ｃに切り替わり、パソコン１３のＵＳＢ端子から充電制御回路１４を介して２次電池１２に充電電流Ｉｃが供給される。
【００１８】
同時に、パソコン１３のＵＳＢ端子から情報処理回路１１に電力が供給されるので、２次電池１２が充電中でも、半導体集積装置１０を用いた携帯型の情報処理装置を動作させることができる。
【００１９】
充電制御回路１４は、処理回路１１が消費する電力Q1および充電制御回路１４自身が消費する電力Ｑ２による発熱により、半導体チップ１０ａ内の少なくとも情報処理回路１１が形成されている領域の温度が、情報処理回路１１が動作可能な温度を超えないように、２次電池１２の充電電流を制御する。
【００２０】
そのためには、情報処理回路１１が消費する電力Ｑ１および充電制御回路１４が消費する電力Ｑ２が、Ｑ１＋Ｑ２＜ΔＴ／Ｒｔｈを満足するようにすることが必要である。  
ここで、Ｒｔｈは半導体集積装置１０を収納するパッケージの熱抵抗（℃／Ｗ）、ΔＴは情報処理回路１１が動作する上限温度から室温を差し引いた温度である。
【００２１】
例えば、パッケージの熱抵抗Ｒｔｈが５０℃／Ｗ、情報処理回路１１が動作する上限温度が８０℃、室温が２５℃で、ΔＴ＝８０−２５＝５５℃の場合に、Ｑ１＋Ｑ２＜１．１Ｗ以下となる。  
実際には、情報処理回路１１の消費電力Ｑ１と充電制御回路１４の消費電力Ｑ２がΔＴに与える重みを考慮してＱ１、Ｑ２を定める事が望ましい。
【００２２】
そこで、充電制御回路１４は、２次電池１２の電圧（端子電圧）Ｖｂを検出し、ＣＰＵのクロック周波数を基に情報処理回路１１の消費電力Ｑ１を検出し、端子電圧Ｖｂと情報処理回路１１の消費電力Ｑ１に応じた電流（充電電流）Ｉｃを２次電池１２に供給して充電を開始し、２次電池１２の端子電圧Ｖｂの上昇および情報処理回路１１の消費電力Ｑ１の変化に応じて段階的に充電電流Ｉｃを増加させる。
【００２３】
図２は充電制御回路１４の構成を示すブロック図である。  
図２に示すように、充電制御回路１４は、正および負入力端が２次電池１２の正および負極端子に接続された差動アンプ２１と、差動アンプ２１の出力をデジタル値に変換するアナログデジタル変換器２２とを有する電圧検出回路２３と、情報処理回路１１の消費電力Ｑ１を検出する消費電力検出回路と２次電池１２の端子電圧Ｖｂと情報処理回路１１の消費電力Ｑ１とに応じて充電電流Ｉｃを求める演算回路の機能をソフトウェアで実行する演算処理部２４と、演算処理部２４の演算結果に応じて、２次電池１２に充電電流Ｉｃを供給する定電流源２５と、を具備している。  
演算処理部２３は、具体的には情報処理回路１１の機能の一部として、ＲＯＭに格納された制御プログラムに従ってＣＰＵにより実行される。
【００２４】
図３は定電流源２５を示す回路図である。  
図３に示すように、定電流源２５は、ｎ型ＭＯＳトランジスタＭ２１〜Ｍ２３と、ｐ型ＭＯＳトランジスタＭ２４〜Ｍ２６と、抵抗Ｒ１とを有する基準電流発生回路３０と、ｎ型ＭＯＳトランジスタＭ３０〜Ｍ３４を有する多連出力型のカレントミラー回路３１と、ＭＯＳトランジスタＭ３０〜Ｍ３４にそれぞれ直列に接続されたｎ型ＭＯＳトランジスタＭ４０〜Ｍ４４を有する電流比選択回路３２とを具備している。
【００２５】
基準電流発生回路３０は、下記式で定まる基準電流Ｉｒｅｆをカレントミラー回路３１のＭＯＳトランジスタＭ３０に制御電流として供給する。  
Ｉｒｅｆ＝Ｖｄｓ（Ｍ２２）／Ｒ２＝｛Ｖｇｓ（Ｍ２１）−Ｖｇｓ（Ｍ２２）｝／Ｒ１
ここで、ＶｄｓはＭＯＳトランジスタのドレイン・ソース間の電圧、Ｖｇｓはゲート・ソース間の電圧である。
【００２６】
多連出力型のカレントミラー回路３１は、ＭＯＳトランジスタＭ３０、Ｍ３１により第１カレントミラー回路が構成され、ＭＯＳトランジスタＭ３０、Ｍ３２により第２カレントミラー回路が構成され、ＭＯＳトランジスタＭ３０、Ｍ３３により第３カレントミラー回路が構成され、ＭＯＳトランジスタＭ３０、Ｍ３４により第４カレントミラー回路が構成されている。
【００２７】
第１乃至第４カレントミラー回路は、それぞれミラー比が、例えば、１．５、２．５、５、１０に設定されている。  
ＭＯＳトランジスタＭ３１、Ｍ３２、Ｍ３３、Ｍ３４には、それぞれ基準電流Ｉｒｅｆのミラー比倍のミラー電流が流れる。  
例えば、基準電流Ｉｒｅｆを１０ｍＡとすると、それぞれ、１５ｍＡ、２５ｍＡ、５０ｍＡ、１００ｍＡのミラー電流が流れる。
【００２８】
電流比選択回路３２は、制御信号Ｃ０によりＭＯＳトランジスタＭ４０のオン、オフを行い、カレントミラー回路３１の全体の電流をオンまたはオフする。  
電流比選択回路３２は、制御信号Ｃ１〜Ｃ４により、第１乃至第４カレントミラー回路のそれぞれのミラー電流をオンまたはオフし、第１乃至第４カレントミラー回路のそれぞれのミラー電流が合算されたカレントミラー回路３１の全体の電流を各種の値に設定する。これにより、２次電池１２に、充電電流Ｉｃとして基準電流Ｉｒｅｆの１倍から２０倍までの電流、１０ｍＡ〜２００ｍＡまでの電流を流すことができる。
【００２９】
次に、充電制御回路１４の動作について図４乃至図６を用いて詳しく説明する。  
図４は充電制御回路１４の動作を示すフローチャート、図５は演算処理部２４の演算方法を示すテーブル、図６は２次電池１２の端子電圧Ｖｂと充電電流Ｉｃとの関係を比較例と対比して示すタイミングチャートである。
【００３０】
図４に示すように、始めに、充電制御回路１４は電圧検出回路２３により、２次電池１２の端子電圧Ｖｂを読み込む（ステップＳ０１）。  
次に、ＣＰＵのクロック周波数を基に情報処理回路１１が消費電力Ｑ１を求める。具体的には、ＣＰＵは現時点のクロック周波数が２４ＭＨｚ、４８ＭＨｚ、９６ＭＨｚのいずれであるかをチェックし、予めＲＯＭに格納されているクロック周波数毎に見積もられた消費電力の値を取り出して、情報処理回路１１の消費電力Ｑ１とする（ステップＳ０２）。
【００３１】
次に、求めた２次電池１２の端子電圧Ｖｂと、情報処理回路１１の消費電力Ｑ１に応じた充電電流Ｉｃを求める。  
具体的には、ＣＰＵは、図５に示す２次電池１２の端子電圧ＶｂとＣＰＵのクロック周波数を基に、予めＲＯＭに格納されている充電電流演算テーブルから、現在流すことのできる充電電流Ｉｃの値を取り出す（ステップＳ０３）。
【００３２】
例えば、充電開始時に、２次電池１２の端子電圧Ｖｂが３．０〜３．５Ｖの間にあり、情報処理回路１１が音声・画像の再生処理を実行していない待機状態（ＣＰＵのクロック周波数が２４ＭＨｚ）のときは、情報処理回路１１の消費電力Ｑ１による発熱が少ないので、充電制御回路１４の消費電力Ｑ２を多くとることができ、充電電流Ｉｃは８５ｍＡに設定される。
【００３３】
一方、情報機器が音声・画像の再生処理中のときは、情報処理回路１１の消費電力Ｑ１による発熱が多くなるので、充電制御回路１４の消費電力Ｑ２を少なくするために、充電電流Ｉｃは１０ｍＡに設定される。
【００３４】
次に、ＣＰＵは求めた充電電流Ｉｃに係るデータを定電流源２５に送出し、定電流源２５は電流比選択回路３２を駆動して、２次電池１２へ設定された充電電流Ｉｃを供給する（ステップＳ０４）。
【００３５】
次に、２次電池１２の端子電圧Ｖｂが規定値の４．２Ｖに達したか否かがチェックされる（ステップＳ０５）。  
２次電池１２の端子電圧Ｖｂが規定値の４．２Ｖに達していない場合に（ステップＳ０５のＹｅｓ）、ステップＳ０１からＳ０２までを繰り返す。
【００３６】
充電が進行すると、２次電池１２の端子電圧Ｖｂは上昇してくるので、図５に記す充電電流演算テーブルに従い、端子電圧Ｖｂの増加量に応じて段階的に充電電流Ｉｃを増加させる。  
これは、２次電池１２の端子電圧Ｖｂが上昇すると、充電制御回路１４での電圧ドロップが小さくなり、消費電力Ｑ２が減少するので、その減少分に見合った電流を充電電流Ｉｃとして増加させることができるためである。
【００３７】
一方、２次電池１２の端子電圧Ｖｂが規定値の４．２Ｖに達した場合に（ステップＳ０５のＮｏ）、２次電池１２への充電電圧を４．２Ｖに固定し、定電圧モードに切り替えて充電を継続する（ステップＳ０６）。
【００３８】
次に、ＣＰＵが、２次電池１２が満充電に達したか否かをチェックする（ステップＳ０７）。  
２次電池１２が満充電に達していない場合に（ステップＳ０５のＮｏ）、ステップＳ０６へ戻り、定電圧モードでの充電を継続する。  
一方、２次電池１２が満充電に達した場合に（ステップＳ０５のＹｅｓ）、充電を終了する。
【００３９】
図６は充電制御回路１４の動作を比較例と対比して示すタイミングチャートである。比較例とは、情報処理回路と本実施例の充電機能を有しない定電流充電制御回路が同一半導体チップに集積して形成された半導体装置を意味している。
【００４０】
図６に示すように、時刻ｔ０で、情報処理回路１１が待機状態（ＣＰＵのクロック周波数が２４ＭＨｚ）のとき、充電電流Ｉｃが８５ｍＡで充電が開始されると、２次電池１２の端子電圧Ｖｂが３．０Ｖから徐々に上昇する。
【００４１】
時刻ｔ１で、２次電池１２の端子電圧Ｖｂが３．５Ｖに達すると、充電電流Ｉｃは１１０ｍＡに増加するので、２次電池１２の端子電圧Ｖｂの上昇速度が早くなり、ｔ１−ｔ０より短い時間で０．５Ｖ上昇する。
【００４２】
時刻ｔ２で、２次電池１２の端子電圧Ｖｂが４．０Ｖに達すると、充電電流Ｉｃは１５０ｍＡに増加するので、２次電池１２の端子電圧Ｖｂの上昇速度が更に早くなり、ｔ２−ｔ１より短い時間で０．５Ｖ上昇する。
【００４３】
時刻ｔ３で、２次電池１２の端子電圧Ｖｂが規定の４．２Ｖに達すると、２次電池１２への印加電圧が４．２Ｖに固定され、定電圧モードに切り替わる。定電圧モードでは、充電電流Ｉｃは充電の進行と伴に、徐々に減少する。  
時刻ｔ４で、充電電流Ｉｃがほぼゼロになると満充電となり、速やかに充電を終了することが可能である。
【００４４】
この間、情報処理回路１１の消費電力Ｑ１は、情報処理回路１１が待機状態なので、一定値で推移し、充電制御回路１４の消費電力Ｑ２は、Ｑ１＋Ｑ２＜ΔＴ／Ｒｔｈを満足す範囲内で指数関数的に減衰する鋸波状に変化する。
【００４５】
一方、比較例では、充電中に情報処理回路がフル稼働した場合に、情報処理回路および充電制御回路の発熱により、情報処理回路が誤作動するのを未然に防止するために、充電電流は低く抑えられてしまう。  
その結果、充電電流が、例えば８５ｍＡと一定の場合に、時刻ｔ５で満充電になるまでに長い時間を要してしまう。
【００４６】
図７は充電制御回路１４の動作を示す別のタイミングチャートで、情報処理回路１１の消費電力Ｑ１が変化する場合の例である。
【００４７】
図７に示すように、時刻ｔ０で、情報処理回路１１が待機状態（ＣＰＵのクロック周波数が２４ＭＨｚ）のとき、充電電流Ｉｃが８５ｍＡで充電が開始され、２次電池１２の端子電圧Ｖｂが３．０Ｖから徐々に上昇する。
【００４８】
時刻ｔ１で、２次電池１２の端子電圧Ｖｂが３．５Ｖに達すると、充電電流Ｉｃは１１０ｍＡに増加するので、２次電池１２の端子電圧Ｖｂの上昇速度が早くなる。
【００４９】
時刻ｔ２で、情報処理回路１１がフル稼働状態（ＣＰＵのクロック周波数が９６ＭＨｚ）になると、情報処理回路１１の消費電力Ｑ１が増加するので、充電制御回路１４の消費電力Ｑ２を減少させて発熱による影響を抑制するために、充電電流Ｉｃが減少する。
【００５０】
具体的には、図５の充電電流演算テーブルに従って、充電電流Ｉｃが１１０ｍＡから２５ｍＡに低減する。  
その結果、充電電流Ｉｃ＝２５ｍＡで２次電池１２の充電が続行されるので、一旦、２次電池１２の端子電圧Ｖｂの上昇速度が遅くなる。
【００５１】
時刻ｔ３で、情報処理回路１１の稼働状態が落ちると（ＣＰＵのクロック周波数が４８ＭＨｚ）、情報処理回路１１の消費電力Ｑ１が減少するので、その減少した分だけ充電制御回路１４の消費電力Ｑ２を増加させることがで、充電電流Ｉｃが増加する。
【００５２】
具体的には、図５の充電電流演算テーブルに従って、充電電流Ｉｃが２５ｍＡから７５ｍＡに増加する。  
その結果、充電電流Ｉｃ＝７５ｍＡで２次電池１２の充電が続行されるので、再び、２次電池１２の端子電圧Ｖｂの上昇速度が早くなる。
【００５３】
時刻ｔ４で、２次電池１２の端子電圧Ｖｂが４．０Ｖに達すると、充電電流Ｉｃは１１０ｍＡに増加するので、２次電池１２の端子電圧Ｖｂの上昇速度が更に早くなる。
【００５４】
時刻ｔ５で、２次電池１２の端子電圧Ｖｂが規定の４．２Ｖに達すると、２次電池１２への印加電圧が４．２Ｖに固定され、定電圧モードに切り替わる。定電圧モードでは、充電電流Ｉｃは充電の進行と伴に、徐々に減少する。  
時刻ｔ６で、充電電流Ｉｃがほぼゼロになると満充電となり、速やかに充電を終了することが可能である。
【００５５】
この間、情報処理回路１１の消費電力Ｑ１は、情報処理回路１１が動作状態に応じて変化し、充電制御回路１４の消費電力Ｑ２は、Ｑ１＋Ｑ２＜ΔＴ／Ｒｔｈを満足す範囲内で指数関数的に減衰する鋸波状に変化する。
【００５６】
時刻ｔ５とｔ６の間で、情報処理回路１１が待機状態（ＣＰＵのクロック周波数が２４ＭＨｚ）に戻るが、定電圧モードに切り替わっているため、充電制御回路１４の動作に影響を与えない。
【００５７】
以上説明したように、本実施例の半導体集積装置１０は、同一半導体チップ１０ａ内に情報処理回路１１と充電制御回路１４とを有し、充電制御回路１４が２次電池１２の端子電圧Ｖｂの上昇と情報処理回路１１が消費する電力Ｑ１の変化とに応じて、段階的に充電電流Ｉｃを増加させている。
【００５８】
その結果、情報処理回路１１および充電制御回路１４の消費電力Ｑ１、Ｑ２による発熱により、情報処理回路１１が誤作動するのを防止することができる。従って、発熱の少ない充電制御回路１４を内蔵した半導体集積装置１０が得られる。
【００５９】
ここでは、充電電流演算テーブルが、２次電池１２の端子電圧Ｖｂを０．５Ｖステップで判別し、対応する充電電流Ｉｃを３レベルで設定する場合について説明したが、本実施例に限定されるものではなく、例えばステップを０．２Ｖとし、充電電流Ｉｃを１０レベルで設定するようにしても構わない。  
ステップを小さくし、充電電流Ｉｃの設定レベルを増やすほど、情報処理回路１１の動作状況に応じて、効率よく２次電池１２を充電することが可能であり、より好ましい。
【００６０】
また、２次電池１２がリチウムイオン電池の場合について説明したが、その他の２次電池、例えばニッケル水素電池などであっても構わない。
【００６１】
更に、外部電源１３がパソコンのＵＳＢ端子から供給される５Ｖの直流電源である場合について説明したが、出力電圧が５ＶのＡＣアダプタでも構わない。
【図面の簡単な説明】
【００６２】
【図１】本発明の実施例に係る半導体集積装置の構成を示すブロック図。
【図２】本発明の実施例に係る半導体集積装置の充電制御回路の構成を示すブロック図。
【図３】本発明の実施例に係る半導体集積装置の定電流源を示す回路図。
【図４】本発明の実施例係る半導体集積装置の充電制御回路の動作を示すフローチャート。
【図５】本発明の実施例に係る半導体集積装置の充電電流演算テーブルを示す図。
【図６】本発明の実施例に係る半導体集積装置の充電制御回路の動作を比較例と対比して示すタイミングチャート。
【図７】本発明の実施例に係る半導体集積装置の充電制御回路の動作を示す別のタイミングチャート。
【符号の説明】
【００６３】
１０  半導体集積装置
１０ａ  半導体チップ
１１  情報処理回路
１２  ２次電池
１３  外部電源
１４  充電制御回路
１５  情報入力装置
１６  情報出力装置
１７  双投スイッチ
１８  ケーブル
２１  差動アンプ
２２  Ａ／Ｄ変換器
２３  電圧検出回路
２４  演算処理部
２５  定電流源
３０  基準電流発生回路
３２  電流比選択回路
３１  カレントミラー回路
【図１】
2008118730.tif 000003
【図２】
2008118730.tif 000004
【図３】
2008118730.tif 000005
【図４】
2008118730.tif 000006
【図５】
2008118730.tif 000007
【図６】
2008118730.tif 000008
【図７】
2008118730.tif 000009